(57)【要約】【課題】従来の技術による諸問題を解決するため、デスキューを自動的に調整できる表示システム及び関連駆動方法を提供する。【解決手段】表示システムは、画像を表示する表示パネルと、外部データ信号と外部クロック信号を生成するタイミングコントローラーと、タイミングコントローラーに結合され、外部データ信号と外部クロック信号の位相を調整して相応の内部データ信号と内部クロック信号を生成し、内部クロック信号のトリガーエッジを内部データ信号のデータを正確にサンプリングできる範囲に対応させる自動調整回路と、自動調整回路と表示パネルに結合され、受信された内部データ信号と内部クロック信号に基づき表示パネルの駆動電圧を生成する駆動回路とを含む。【選択図】図４
2007241230.tif 000002
【特許請求の範囲】
【請求項１】
スキューを自動的に調整できる表示システムであって、
画像を表示する表示パネルと、
外部データ信号と外部クロック信号を生成するタイミングコントローラーと、
タイミングコントローラーに結合され、外部データ信号と外部クロック信号の位相を調整して相応の内部データ信号と内部クロック信号を生成し、内部クロック信号のトリガーエッジを内部データ信号のデータを正確にサンプリングできる範囲に対応させる自動調整回路と、
自動調整回路と表示パネルに結合され、受信された内部データ信号と内部クロック信号に基づき表示パネルの駆動電圧を生成する駆動回路とを含むことを特徴とする表示システム。
【請求項２】
前記自動調整回路は、
タイミングコントローラーに結合され、外部クロック信号の位相を調整して位相が異なる複数組のサンプリング信号を生成する遅延回路を含むことを特徴とする請求項１記載の表示システム。
【請求項３】
前記遅延回路が複数のインバーターを含むことを特徴とする請求項２記載の表示システム。
【請求項４】
前記自動調整回路は更に、
タイミングコントローラーと遅延回路に結合され、外部データ信号と相応のサンプリング信号をそれぞれ受信し、受信されたサンプリング信号に基づき外部データ信号をサンプリングして相応のデータサンプリング信号を生成する複数の同期保存ユニットを含むことを特徴とする請求項２記載の表示システム。
【請求項５】
前記同期保存ユニットがＤ型フリップフロップまたはレジスターであることを特徴とする請求項４記載の表示システム。
【請求項６】
前記自動調整回路は更に、
複数の同期保存ユニットに結合され、各同期保存ユニットによるデータサンプリング信号を受信し、受信されたデータサンプリング信号に基づきスイッチ制御信号を生成するデコーダーを含むことを特徴とする請求項４記載の表示システム。
【請求項７】
前記自動調整回路は更に、
遅延回路とデコーダーに結合され、デコーダーによるスイッチ制御信号に基づき複数組のサンプリング信号のうち一つを内部クロック信号として出力するスイッチ回路を含むことを特徴とする請求項６記載の表示システム。
【請求項８】
前記自動調整回路がソースドライバーと同じ集積回路に統合されることを特徴とする請求項１記載の表示システム。
【請求項９】
前記自動調整回路とソースドライバーが別々の集積回路であることを特徴とする請求項１記載の表示システム。
【請求項１０】
前記表示パネルが液晶表示パネルであることを特徴とする請求項１記載の表示システム。
【請求項１１】
前記駆動回路が液晶表示パネルのソースドライバーであることを特徴とする請求項１記載の表示システム。
【請求項１２】
表示システムのスキューを自動的に調整できる駆動方法であって、
（ａ）外部データ信号と外部クロック信号を受信し、
（ｂ）外部クロック信号の位相を調整して位相が異なる複数組のサンプリング信号を生成し、
（ｃ）複数組のサンプリング信号に基づき外部データ信号をサンプリングして相応の複数組のデータサンプリング信号を生成し、
（ｄ）複数組のデータサンプリング信号に基づき、複数組のサンプリング信号から最適サンプリング信号を取り出し、
（ｅ）最適サンプリング信号を内部クロック信号として出力するステップからなることを特徴とする駆動方法。
【請求項１３】
前記ステップ（ｄ）は、複数組のサンプリング信号から、立ち上がりエッジが外部データ信号の保持時間の中心点に対応する信号を最適サンプリング信号として取り出すことを内容とすることを特徴とする請求項１２記載の駆動方法。
【請求項１４】
前記ステップ（ｄ）は、複数組のサンプリング信号から、立ち下がりエッジが外部データ信号の保持時間の中心点に対応する信号を最適サンプリング信号として取り出すことを内容とすることを特徴とする請求項１２記載の駆動方法。
【請求項１５】
前記方法は更に、
外部データ信号と外部クロック信号を生成するステップを含むことを特徴とする請求項１２記載の駆動方法。
【発明の詳細な説明】
【技術分野】
【０００１】
この発明は表示システム及び関連駆動方法に関し、特にスキューを自動的に調整できる表示システム及び関連駆動方法に関する。
【背景技術】
【０００２】
フラットパネル表示器の一種である液晶表示器は、薄型、低電力消費及び低輻射を特長とし、ノートブックパソコンやＰＤＡ（パーソナルデジタルアシスタント）などの携帯型デジタル製品に幅広く利用され、デスクトップパソコン用のＣＲＴモニターに取って代わりつつある。
【０００３】
液晶表示器はタイミングコントローラーで表示画像に関するデータ信号を生成し、液晶表示パネルに必要な制御信号とクロック信号を駆動する。その後、液晶表示器のソースドライバーはデータ信号、制御信号及びクロック信号でロジック演算を行い、液晶表示パネルの駆動信号を生成する。タイミングコントローラーとソースドライバーは接続インターフェイスを介して信号を伝送する。市販の液晶パネルの中では、接続インターフェイスとしてＴＴＬ（トランジスター−トランジスターロジック）インターフェイス、ＬＶＤＳ（低電圧差動信号）インターフェイス、ＲＳＤＳ（小振幅差動信号）インターフェイス、ミニＬＶＤＳ（ミニ低電圧差動信号）インターフェイスなどの種類がある。データ信号、制御信号及びクロック信号のセットアップ時間と保持時間が相互に対応しているので、ソースドライバーの内部ロジック回路はデータを正確に読み取り、駆動信号を正確に生成することができる。
【０００４】
フラットパネル表示器の大型化及び解像度に対する要求が高まるにつれ、液晶表示パネルのサイズ、ソースドライバーの数量及び信号伝送媒介（例えばプリント回路板）のサイズも同時に増やさなければならない。それに伴って、タイミングコントローラーとソースドライバー間の信号伝送経路も長くなる。同時に、液晶表示器のタイミングコントローラーから個々のソースドライバーまでの回路配置や信号伝送経路も相違するようになり、各ソースドライバーのトグルレート、接地シールディング及び出力クラスの駆動能力も異なるようになる。したがって、個々のソースドライバーに受信された信号は種々の程度の遅延に影響され、それを受けて異種信号間（例えばデータ信号と制御信号間、データ信号とクロック信号間、または制御信号とクロック信号間）の位相差が所定値からはずれ、ソースドライバーの内部ロジック回路はデータを正確に読み取れなくなる。この現象はスキューと呼ばれ、液晶表示器の表示品質はそれにより大きく影響される。特に、高周波の状況では、表示品質に対するスキューの影響が最も大きい。
【０００５】
図１を参照する。図１は従来の液晶表示器１０のブロック図である。液晶表示器１０はタイミングコントローラー１２と、複数のソースドライバーと、液晶表示パネル１６を含む。説明を簡単にまとめるため、図１では１個のソースドライバー１４のみ示すこととする。液晶表示器１０にあるその他のソースドライバーの接続状態はソースドライバー１４と同じであるため、ここでその説明を省略とする。タイミングコントローラー１２は外部データ信号ＥＸＴＤＡＴＡと外部クロック信号ＥＸＴＣＬＫを生成し、ソースドライバーは外部データ信号ＥＸＴＤＡＴＡと外部クロック信号ＥＸＴＣＬＫに基づいて液晶表示パネル１６の駆動信号ＶＤＲＩＶＥを生成する。液晶表示パネル１６は駆動信号ＶＤＲＩＶＥに基づき画像を表示する。
【０００６】
図２を参照する。図２は従来の液晶表示器１０の稼動時の信号図である。図２は外部データ信号ＥＸＴＤＡＴＡと外部クロック信号ＥＸＴＣＬＫ間の位相関係を説明するものである。そのうちＴＳＥＴＵＰはセットアップ時間であり、ここでは、データ信号ＥＸＴＤＡＴＡのレベルが変わってから、外部クロック信号ＥＸＴＣＬＫがデータ信号ＥＸＴＤＡＴＡのデータを正確にサンプリングできるまでの時間を指す。なお、ＴＨＯＬＤは保持時間であり、ここでは外部クロック信号ＥＸＴＣＬＫがデータ信号ＥＸＴＤＡＴＡのデータを正確にサンプリングできるようにデータ信号ＥＸＴＤＡＴＡを保持する時間を指す。従来の液晶表示器１０では、セットアップ時間ＴＳＥＴＵＰと保持時間ＴＨＯＬＤはいずれも一定にされている。しかし、タイミングコントローラー１２が外部データ信号ＥＸＴＤＡＴＡと外部クロック信号ＥＸＴＣＬＫを生成した後、回路配置やその他の原因により、個々のソースドライバーに受信された外部データ信号ＥＸＴＤＡＴＡと外部クロック信号ＥＸＴＣＬＫは種々の程度の遅延に影響される。そうすると、セットアップ時間ＴＳＥＴＵＰと保持時間ＴＨＯＬＤ間も図２に示される所定値からはずれるようになる。
【０００７】
従来の液晶表示器１０では、タイミングコントローラー１２による外部データ信号ＥＸＴＤＡＴＡと外部クロック信号ＥＸＴＣＬＫの位相関係が一定にされ、セットアップ時間ＴＳＥＴＵＰと保持時間ＴＨＯＬＤも一定にされるため、信号経路の長さ、トグルレート、接地シールディングないし出力クラスの駆動能力の差により、個々のソースドライバーに受信される外部データ信号ＥＸＴＤＡＴＡと外部クロック信号ＥＸＴＣＬＫはさまざまな程度の遅延に影響される。その場合、従来の液晶表示器１０はスキューを補正できないから、液晶表示器の品質は向上することができない。
【発明の開示】
【発明が解決しようとする課題】
【０００８】
この発明は前述の問題を解決するため、スキューを自動的に調整できる表示システム及び関連駆動方法を提供することを課題とする。
【課題を解決するための手段】
【０００９】
この発明はスキューを自動的に調整できる表示システムを提供する。該表示システムは、画像を表示する表示パネルと、外部データ信号と外部クロック信号を生成するタイミングコントローラーと、タイミングコントローラーに結合され、外部データ信号と外部クロック信号の位相を調整して相応の内部データ信号と内部クロック信号を生成し、内部クロック信号のトリガーエッジを内部データ信号のデータを正確にサンプリングできる範囲に対応させる自動調整回路と、自動調整回路と表示パネルに結合され、受信された内部データ信号と内部クロック信号に基づき表示パネルの駆動電圧を生成する駆動回路とを含む。
【００１０】
この発明は更に表示システムのスキューを自動的に調整できる駆動方法を提供する。該駆動方法は、（ａ）外部データ信号と外部クロック信号を受信し、（ｂ）外部クロック信号の位相を調整して位相が異なる複数組のサンプリング信号を生成し、（ｃ）複数組のサンプリング信号に基づき外部データ信号をサンプリングして相応の複数組のデータサンプリング信号を生成し、（ｄ）複数組のデータサンプリング信号に基づき、複数組のサンプリング信号から最適サンプリング信号を取り出し、（ｅ）最適サンプリング信号を内部クロック信号として出力するステップからなる。
【発明の効果】
【００１１】
この発明はタイミングコントローラーによる外部クロック信号の位相に基づいて位相の異なる複数組のサンプリング信号を生成し、更にサンプリング信号に基づいて外部データ信号をサンプリングし、それによってラッチされたデータサンプリング信号をデコーダーに保存される真理値表に対応させることにより、最適サンプリング信号を選出する。そのため、信号伝送経路の長さ、トグルレート、接地シールディングまたは出力クラスの駆動能力の差により、個々のソースドライバーに受信された外部データ信号と外部クロック信号が遅延に影響された場合でも、各ソースドライバーは相応の遅延回路でスキューを自動的に調整できる。その結果、パネルの駆動電圧は正確に生成される。
【発明を実施するための最良の形態】
【００１２】
かかる装置及び方法の特徴を詳述するために、具体的な実施例を挙げ、図を参照して以下に説明する。
【実施例】
【００１３】
図３と図４を参照する。図３はこの発明の実施例１による液晶表示器３０のブロック図であり、図４はこの発明の実施例２による液晶表示器４０のブロック図である。液晶表示器３０、４０はタイミングコントローラー３２と、複数のソースドライバーと、液晶表示パネル３６と、自動調整回路５０を含む。説明を簡単にまとめるため、図３と図４では１個のソースドライバー３４のみ示すこととする。液晶表示器３０、４０のその他のソースドライバーの接続状態はソースドライバー３４と同じであるため、ここでその説明を省略とする。実施例１と実施例２の相違点は、液晶表示器３０における自動調整回路５０とソースドライバー３４が別々の集積回路であり、液晶表示器４０における自動調整回路５０とソースドライバー３４が同一の集積回路に統合されている、というところにある。
【００１４】
液晶表示器３０、４０では、タイミングコントローラー３２は外部データ信号ＥＸＴＤＡＴＡと外部クロック信号ＥＸＴＣＬＫを生成し、更に生成された外部データ信号ＥＸＴＤＡＴＡと外部クロック信号ＥＸＴＣＬＫを自動調整回路５０に送信する。外部データ信号ＥＸＴＤＡＴＡと外部クロック信号ＥＸＴＣＬＫのセットアップ時間、保持時間及び相互の位相差はいずれも所定値にされている。理想的な状態では、ソースドライバーは外部データ信号ＥＸＴＤＡＴＡと外部クロック信号ＥＸＴＣＬＫに基づいて液晶表示パネル１６の駆動信号ＶＤＲＩＶＥを正確に生成できる。しかし実際、回路配置やその他の原因により、個々のタイミングコントローラーの外部データ信号ＥＸＴＤＡＴＡと外部クロック信号ＥＸＴＣＬＫ間の位相差が所定値からはずれることもある。位相差が大きすぎると、ソースドライバー３４はデータを正確に読み取れなくなる。したがって、自動調整回路５０は外部データ信号ＥＸＴＤＡＴＡと外部クロック信号ＥＸＴＣＬＫ間の位相差に基づき、位相修正済みの内部データ信号ＩＮＴＤＡＴＡと最適内部クロック信号ＩＮＴＣＬＫを生成し、更に最適内部クロック信号ＩＮＴＣＬＫのトリガーエッジを内部データ信号ＩＮＴＤＡＴＡが正確にサンプリングできる範囲に対応させる。その結果、ソースドライバーは内部データ信号ＩＮＴＤＡＴＡと最適内部クロック信号ＩＮＴＣＬＫに基づいて液晶表示パネル３６の駆動信号ＶＤＲＩＶＥを正確に生成できる。
【００１５】
図５を参照する。図５はこの発明による液晶表示器３０の自動調整回路５０を表す説明図である。自動調整回路５０は遅延回路５２と、複数の同期保存ユニットＳ１−Ｓｎと、スイッチ回路５４と、デコーダー５６を含む。遅延回路５２はタイミングコントローラー３２に結合され、タイミングコントローラー３２による外部クロック信号ＥＸＴＣＬＫを受信し、外部クロック信号ＥＸＴＣＬＫの位相を調整して位相が異なる複数組のサンプリング信号ＣＬＫ＿ｄ１−ＣＬＫ＿ｄｎを生成し、更にサンプリング信号ＣＬＫ＿ｄ１−ＣＬＫ＿ｄｎをスイッチ回路５４及び同期保存ユニットＳ１−Ｓｎに出力する。サンプリング信号ＣＬＫ＿ｄ１−ＣＬＫ＿ｄｎと外部クロック信号ＥＸＴＣＬＫ間の位相関係は次節で説明する。同期保存ユニットＳ１−Ｓｎはタイミングコントローラー３２と遅延回路５２に結合され、タイミングコントローラー３２による外部データ信号ＥＸＴＤＡＴＡと、遅延回路５２によるサンプリング信号ＣＬＫ＿ｄ１−ＣＬＫ＿ｄｎをそれぞれ受信する。同期保存ユニットＳ１−Ｓｎはサンプリング信号ＣＬＫ＿ｄ１−ＣＬＫ＿ｄｎのトリガーエッジで外部データ信号ＥＸＴＤＡＴＡをサンプリングし、それによって読み込まれたデータサンプリング信号Ｄ[１]−Ｄ[ｎ]をデコーダー５６に送信する。サンプリング信号ＣＬＫ＿ｄ１−ＣＬＫ＿ｄｎのトリガーエッジとは、立ち上がりエッジまたは立ち下りエッジを指す。サンプリング信号ＣＬＫ＿ｄ１−ＣＬＫ＿ｄｎの位相が相違するため、データサンプリング信号Ｄ[１]−Ｄ[ｎ]の値も相違している。そのため、デコーダー５６はデータサンプリング信号Ｄ[１]−Ｄ[ｎ]に基づき、サンプリング信号ＣＬＫ＿ｄ１−ＣＬＫ＿ｄｎから最適サンプリング信号を取り出すことができる。この最適サンプリング信号と外部データ信号ＥＸＴＤＡＴＡ間の位相差は所定値に最も近い。言い換えれば、最適サンプリング信号を利用すれば、外部データ信号ＥＸＴＤＡＴＡのデータを正確に読み取れる。デコーダー５６は最適サンプリング信号の選定結果に基づきスイッチ制御信号をスイッチ回路５４に送信し、スイッチ回路５４はそれに基づいてサンプリング信号ＣＬＫ＿ｄ１−ＣＬＫ＿ｄｎのうち最適サンプリング信号を内部クロック信号ＩＮＴＣＬＫとして出力する。
【００１６】
図５における自動調整回路５０の遅延回路５２は複数のインバーターからなる。この発明は、外部クロック信号ＥＸＴＣＬＫを種々の個数のインバーターに通過させることによって、さまざまな程度の信号遅延を生成するとともに、種々の位相を有するサンプリング信号ＣＬＫ＿ｄ１−ＣＬＫ＿ｄｎを生成する。同期保存ユニットＳ１−ＳｎはＤ型フリップフロップまたはレジスターであり、サンプリング信号ＣＬＫ＿ｄ１−ＣＬＫ＿ｄｎに基づいて外部データ信号ＥＸＴＤＡＴＡをラッチし、相応のデータサンプリング信号Ｄ[１]−Ｄ[ｎ]を生成する。デコーダー５６には真理値表が保存されている。データサンプリング信号Ｄ[１]−Ｄ[ｎ]を内蔵の真理値表に対応させることにより、サンプリング信号ＣＬＫ＿ｄ１−ＣＬＫ＿ｄｎから最適サンプリング信号を取り出すことができる。
【００１７】
図６から図２１を参照する。図６から図２１はこの発明によるスキューを自動的に調整する表示システムの駆動方法を表す。図６から図２１によれば、遅延回路５２は外部クロック信号ＥＸＴＣＬＫに基づいて位相が異なる８組のサンプリング信号ＣＬＫ＿ｄ１−ＣＬＫ＿ｄ８を生成する。サンプリング信号ＣＬＫ＿ｄ１−ＣＬＫ＿ｄ８と外部クロック信号ＥＸＴＣＬＫの間の位相差は１／１６−１６／１６信号周期である。
【００１８】
液晶表示器３０、４０のソースドライバーに受信された外部データ信号ＥＸＴＤＡＴＡと外部クロック信号ＥＸＴＣＬＫが第一位相関係（位相差が０）を有すると、サンプリング信号ＣＬＫ＿ｄ１−ＣＬＫ＿ｄ８のトリガーエッジで外部クロック信号ＥＸＴＣＬＫをサンプリングした結果は図６の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１１１１１１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が０であれば、最適サンプリング信号はサンプリング信号ＣＬＫ＿ｄ４の立ち上がりエッジである。
【００１９】
液晶表示器３０、４０のソースドライバーに受信された外部データ信号ＥＸＴＤＡＴＡと外部クロック信号ＥＸＴＣＬＫが第二位相関係（位相差が１／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図７の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[０１１１１１１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１／１６信号周期であれば、最適サンプリング信号はサンプリング信号ＣＬＫ＿ｄ５の立ち上がりエッジである。
【００２０】
液晶表示器３０、４０のソースドライバーに受信された外部データ信号ＥＸＴＤＡＴＡと外部クロック信号ＥＸＴＣＬＫが第三位相関係（位相差が２／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図８の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[００１１１１１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が２／１６信号周期であれば、最適サンプリング信号はサンプリング信号ＣＬＫ＿ｄ６の立ち上がりエッジである。
【００２１】
液晶表示器３０、４０のソースドライバーに受信された外部データ信号ＥＸＴＤＡＴＡと外部クロック信号ＥＸＴＣＬＫが第四位相関係（位相差が３／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図９の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[０００１１１１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が３／１６信号周期であれば、最適サンプリング信号はサンプリング信号ＣＬＫ＿ｄ７の立ち上がりエッジである。
【００２２】
液晶表示器３０、４０のソースドライバーに受信された外部データ信号ＥＸＴＤＡＴＡと外部クロック信号ＥＸＴＣＬＫが第五位相関係（位相差が４／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１０の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[００００１１１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が４／１６信号周期であれば、最適サンプリング信号はサンプリング信号ＣＬＫ＿ｄ８の立ち上がりエッジである。
【００２３】
液晶表示器３０、４０のソースドライバーに受信された外部データ信号ＥＸＴＤＡＴＡと外部クロック信号ＥＸＴＣＬＫが第六位相関係（位相差が５／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１１の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[０００００１１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が５／１６信号周期であれば、最適サンプリング信号はサンプリング信号ＣＬＫ＿ｄ１の立ち下がりエッジである。
【００２４】
液晶表示器３０、４０のソースドライバーに受信された外部データ信号ＥＸＴＤＡＴＡと外部クロック信号ＥＸＴＣＬＫが第七位相関係（位相差が６／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１２の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[００００００１１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が６／１６信号周期であれば、最適サンプリング信号はサンプリング信号ＣＬＫ＿ｄ２の立ち下がりエッジである。
【００２５】
液晶表示器３０、４０のソースドライバーに受信された外部データ信号ＥＸＴＤＡＴＡと外部クロック信号ＥＸＴＣＬＫが第八位相関係（位相差が７／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１３の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[０００００００１]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が７／１６信号周期であれば、最適サンプリング信号はサンプリング信号ＣＬＫ＿ｄ３の立ち下がりエッジである。
【００２６】
液晶表示器３０、４０のソースドライバーに受信された外部データ信号ＥＸＴＤＡＴＡと外部クロック信号ＥＸＴＣＬＫが第九位相関係（位相差が８／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１４の通りである。この場合、第一信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[００００００００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が８／１６信号周期であれば、最適サンプリング信号はサンプリング信号ＣＬＫ＿ｄ４の立ち下がりエッジである。
【００２７】
液晶表示器３０、４０のソースドライバーに受信された外部データ信号ＥＸＴＤＡＴＡと外部クロック信号ＥＸＴＣＬＫが第十位相関係（位相差が９／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１５の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１０００００００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が９／１６信号周期であれば、最適サンプリング信号はサンプリング信号ＣＬＫ＿ｄ５の立ち下がりエッジである。
【００２８】
液晶表示器３０、４０のソースドライバーに受信された外部データ信号ＥＸＴＤＡＴＡと外部クロック信号ＥＸＴＣＬＫが第十一位相関係（位相差が１０／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１６の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１００００００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１０／１６信号周期であれば、最適サンプリング信号はサンプリング信号ＣＬＫ＿ｄ６の立ち下がりエッジである。
【００２９】
液晶表示器３０、４０のソースドライバーに受信された外部データ信号ＥＸＴＤＡＴＡと外部クロック信号ＥＸＴＣＬＫが第十二位相関係（位相差が１１／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１７の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１１０００００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１１／１６信号周期であれば、最適サンプリング信号はサンプリング信号ＣＬＫ＿ｄ７の立ち下がりエッジである。
【００３０】
液晶表示器３０、４０のソースドライバーに受信された外部データ信号ＥＸＴＤＡＴＡと外部クロック信号ＥＸＴＣＬＫが第十三位相関係（位相差が１２／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１８の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１１１００００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１２／１６信号周期であれば、最適サンプリング信号はサンプリング信号ＣＬＫ＿ｄ８の立ち下がりエッジである。
【００３１】
液晶表示器３０、４０のソースドライバーに受信された外部データ信号ＥＸＴＤＡＴＡと外部クロック信号ＥＸＴＣＬＫが第十四位相関係（位相差が１３／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図１９の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１１１１０００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１３／１６信号周期であれば、最適サンプリング信号はサンプリング信号ＣＬＫ＿ｄ１の立ち上がりエッジである。
【００３２】
液晶表示器３０、４０のソースドライバーに受信された外部データ信号ＥＸＴＤＡＴＡと外部クロック信号ＥＸＴＣＬＫが第十五位相関係（位相差が１４／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図２０の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１１１１１００]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１４／１６信号周期であれば、最適サンプリング信号はサンプリング信号ＣＬＫ＿ｄ２の立ち上がりエッジである。
【００３３】
液晶表示器３０、４０のソースドライバーに受信された外部データ信号ＥＸＴＤＡＴＡと外部クロック信号ＥＸＴＣＬＫが第十六位相関係（位相差が１５／１６信号周期）を有すると、サンプリング信号ＣＬＫ＿ｄ１−ＣＬＫ＿ｄ８のトリガーエッジで外部クロック信号ＥＸＴＣＬＫをサンプリングした結果は図２１の通りである。この場合、第二信号周期内のサンプリング信号ＣＬＫ＿ｄ１−ＣＬＫ＿ｄ８の立ち上がりエッジで外部データ信号ＥＸＴＤＡＴＡをサンプリングして得たデータサンプリング信号Ｄ[１：８]は[１１１１１１１０]となる。この実施例では、外部データ信号ＥＸＴＤＡＴＡの保持時間の中心点を最適サンプリング点とする。したがって、ソースドライバーに受信された外部データ信号ＥＸＴＤＡＴＡと外部クロック信号ＥＸＴＣＬＫ間の位相差が１５／１６信号周期であれば、最適サンプリング信号はサンプリング信号ＣＬＫ＿ｄ３の立ち上がりエッジである。
【００３４】
この発明は最適サンプリング点を定め（例えば保持時間の中心点）、それに基づいて真理値表を決める。デコーダー５６は真理値表に基づき最適サンプリング信号を判断し、相応のスイッチ制御信号を生成する。図２２を参照する。図２２はこの発明による駆動方法の真理値表である。図５から図２０では、ソースドライバーに受信された外部データ信号ＥＸＴＤＡＴＡと外部クロック信号ＥＸＴＣＬＫの位相差により、サンプリング信号ＣＬＫ＿ｄ１−ＣＬＫ＿ｄ８は１６種類の結果が出てきて、その結果は最適サンプリング点で判断された最適サンプリング信号にそれぞれ対応している。デコーダー５６は図２１の真理値表に基づき相応のスイッチ制御信号をスイッチ回路５４に送信し、最適サンプリング信号を内部クロック信号ＩＮＴＣＬＫとする。
【００３５】
この発明による自動調整回路とソースドライバーは別々の集積回路であるか、または同じ集積回路に統合されている。なお、この発明は液晶表示器またはその他の表示システムに適する。
【００３６】
以上はこの発明に好ましい実施例であって、この発明の実施の範囲を限定するものではない。よって、当業者のなし得る修正、もしくは変更であって、この発明の精神の下においてなされ、この発明に対して均等の効果を有するものは、いずれもこの発明の特許請求の範囲に属するものとする。
【産業上の利用可能性】
【００３７】
この発明はタイミングコントローラーによる外部クロック信号の位相に基づいて位相の異なる複数組のサンプリング信号を生成し、更にサンプリング信号に基づいて外部データ信号をサンプリングし、それによってラッチされたデータサンプリング信号をデコーダーに保存される真理値表に対応させることにより、最適サンプリング信号を選出する。そのため、信号伝送経路の長さ、トグルレート、接地シールディングまたは出力クラスの駆動能力の差により、個々のソースドライバーに受信された外部データ信号と外部クロック信号が遅延に影響された場合でも、各ソースドライバーは相応の遅延回路でスキューを自動的に調整できる。その結果、パネルの駆動電圧は正確に生成される。
【図面の簡単な説明】
【００３８】
【図１】従来の液晶表示器のブロック図である。
【図２】従来の液晶表示器の稼動時の信号図である。
【図３】この発明の実施例１による液晶表示器のブロック図である。
【図４】この発明の実施例２による液晶表示器のブロック図である。
【図５】この発明による液晶表示器の自動調整回路を表す説明図である。
【図６】この発明によるスキューを自動的に調整する表示システムの駆動方法を表す第一波形図である。
【図７】この発明によるスキューを自動的に調整する表示システムの駆動方法を表す第二波形図である。
【図８】この発明によるスキューを自動的に調整する表示システムの駆動方法を表す第三波形図である。
【図９】この発明によるスキューを自動的に調整する表示システムの駆動方法を表す第四波形図である。
【図１０】この発明によるスキューを自動的に調整する表示システムの駆動方法を表す第五波形図である。
【図１１】この発明によるスキューを自動的に調整する表示システムの駆動方法を表す第六波形図である。
【図１２】この発明によるスキューを自動的に調整する表示システムの駆動方法を表す第七波形図である。
【図１３】この発明によるスキューを自動的に調整する表示システムの駆動方法を表す第八波形図である。
【図１４】この発明によるスキューを自動的に調整する表示システムの駆動方法を表す第九波形図である。
【図１５】この発明によるスキューを自動的に調整する表示システムの駆動方法を表す第十波形図である。
【図１６】この発明によるスキューを自動的に調整する表示システムの駆動方法を表す第十一波形図である。
【図１７】この発明によるスキューを自動的に調整する表示システムの駆動方法を表す第十二波形図である。
【図１８】この発明によるスキューを自動的に調整する表示システムの駆動方法を表す第十三波形図である。
【図１９】この発明によるスキューを自動的に調整する表示システムの駆動方法を表す第十四波形図である。
【図２０】この発明によるスキューを自動的に調整する表示システムの駆動方法を表す第十五波形図である。
【図２１】この発明によるスキューを自動的に調整する表示システムの駆動方法を表す第十六波形図である。
【図２２】この発明による駆動方法の真理値表である。
【符号の説明】
【００３９】
１０、３０、４０   液晶表示器
１２、３２         タイミングコントローラー
１４、３４         ソースドライバー
１６、３６         液晶表示パネル
５０               自動調整回路
５２               遅延回路
５４               スイッチ回路
５６               デコーダー
Ｓ１−Ｓｎ         同期保存ユニット
【図１】
2007241230.tif 000003
【図２】
2007241230.tif 000004
【図３】
2007241230.tif 000005
【図４】
2007241230.tif 000006
【図５】
2007241230.tif 000007
【図６】
2007241230.tif 000008
【図７】
2007241230.tif 000009
【図８】
2007241230.tif 000010
【図９】
2007241230.tif 000011
【図１０】
2007241230.tif 000012
【図１１】
2007241230.tif 000013
【図１２】
2007241230.tif 000014
【図１３】
2007241230.tif 000015
【図１４】
2007241230.tif 000016
【図１５】
2007241230.tif 000017
【図１６】
2007241230.tif 000018
【図１７】
2007241230.tif 000019
【図１８】
2007241230.tif 000020
【図１９】
2007241230.tif 000021
【図２０】
2007241230.tif 000022
【図２１】
2007241230.tif 000023
【図２２】
2007241230.tif 000024